(57)【要約】【課題】操作釦の偏芯の調芯を自動的に行う構造を有する電子機器を提供する。【解決手段】デジタルカメラ１００は、押圧可能な操作釦１１２と、操作釦１１２の操作方向と逆方向に移動しない初期位置に保持する保持部１１４を有するカバー部材１１３と、操作釦１１２が操作方向へ押し込まれたとき、操作釦１１２を逆方向に付勢する付勢部材１１５と、を備える。操作釦１１２が初期位置から偏芯した際に、付勢部材１１５のフランジ部１１９の少なくとも一部で操作釦１１２を付勢することにより操作釦１１２の偏芯を補正する応力を発生させる。【選択図】図３Ｂ
2019079696.tif 000002
【特許請求の範囲】
【請求項１】
押圧可能な操作釦と、
前記操作釦の操作方向と逆方向に移動しない初期位置に保持する保持部を有するカバー部材と、
前記操作釦が操作方向へ押し込まれたとき、前記操作釦を前記逆方向に付勢する付勢部材と
を備え、
前記操作釦が前記初期位置から偏芯した際に、前記付勢部材のフランジ部の少なくとも一部で前記操作釦を付勢することにより前記操作釦の偏芯を補正する応力を発生させる、
電子機器。
【請求項２】
前記操作釦は、前記付勢部材と分離可能である、請求項１記載の電子機器。
【請求項３】
前記操作釦の突起部と前記付勢部材の溝部との間には隙間が設けられている、請求項１記載の電子機器。
【請求項４】
前記保持部は、前記操作釦と互いに嵌合するテーパー形状を有している、請求項１記載の電子機器。
【発明の詳細な説明】
【技術分野】
【０００１】
本開示は、操作釦と付勢部材は分離可能でかつ操作釦の偏芯の調芯を自動的に行う構造を有する電子機器に関する。
【背景技術】
【０００２】
従来から押圧可能な操作釦と操作釦を取り付ける孔を有するカバー部材を備える電子機器においては、操作釦の調芯を行っている。
【０００３】
例えば、操作釦と、操作釦の操作方向と逆方向に移動しない初期位置に保持する保持部を有するカバー部材は、互いに嵌合するテーパー形状を有し、両者の嵌合により操作釦の調芯を自動的に行なう機構を施したものがある（例えば、特許文献１）。
【先行技術文献】
【特許文献】
【０００４】
【特許文献１】実開昭５９−６５４３６号公報
【発明の概要】
【発明が解決しようとする課題】
【０００５】
本開示は、操作釦の偏芯の調芯を自動的に行う構造を有する電子機器を提供することを目的とする。
【課題を解決するための手段】
【０００６】
本開示にかかる電子機器は、押圧可能な操作釦と、前記操作釦の操作方向と逆方向に移動しない初期位置に保持する保持部を有するカバー部材と、前記操作釦が操作方向へ押し込まれたとき、前記操作釦を前記逆方向に付勢する付勢部材と、を備える。
【０００７】
前記操作釦が前記初期位置から偏芯した際に、前記付勢部材のフランジ部の少なくとも一部で前記操作釦を付勢することにより前記操作釦の偏芯を補正する応力を発生させる。
【０００８】
前記保持部は、前記操作釦と互いに嵌合するテーパー形状を有している。
【発明の効果】
【０００９】
本開示にかかる電子機器は、操作釦の偏芯の調芯を自動的に行うのに有効である。
【図面の簡単な説明】
【００１０】
【図１】図１は、実施の形態１にかかるデジタルカメラの外観図である。
【図２】図２は、図１の操作釦を含む一部箇所の上面図である。
【図３Ａ】図３Ａは、図２のＡ−Ａによる断面であり、操作釦の偏芯を調芯するための構造を説明する図である。
【図３Ｂ】図３Ｂは、操作釦の偏芯を調芯する動作図である。
【図４Ａ】図４Ａは、図３Ａと比較するために使用する断面であり、操作釦の偏芯を調芯するための構造を備えていないことを説明するための図である。
【図４Ｂ】図４Ｂは、操作釦の偏芯を調芯できないことを説明するための図である。
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
（実施の形態１）
以下、図１〜図４を用いて、実施の形態１について説明する。実施の形態１では、電子機器の一例としてデジタルカメラを挙げる。
【００１４】
［１−１．外観］
図１は、実施の形態１に係るデジタルカメラの外観図である。
【００１５】
本実施の形態に係るデジタルカメラ１００は、レンズ交換式のデジタルカメラであって、マウント１０１に様々な種類の交換レンズを取り付けて撮影を楽しむことができる。マウント１０１の内周の一部には、複数の電気接点１０２が円弧状に設けられている。交換レンズがマウント１０１に取り付けられると、複数の電気接点１０２を介して、デジタルカメラと交換レンズの通信が可能になる。デジタルカメラは、交換レンズから交換レンズ固有の情報を取得するとともに、撮影条件に応じて、交換レンズの動作を制御する。レンズ取外しボタン１０３を押しながら、交換レンズを回転させると、交換レンズをマウント１０１から取り外すことができる。
【００１６】
デジタルカメラ１００は、いわゆる一眼レフ方式のデジタルカメラではないので、交換レンズからの入射光を撮像素子または光学ビューファインダーのいずれに導くかを切り換える可動式ミラーを備えない。したがって、マウント１０１の内部にはある、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサで構成される撮像素子１０４を、デジタルカメラ１００の被写体側から直視することができる。ただし、撮像素子１０４の前面には、付着した塵埃を除去するための超音波フィルターや入射光の高周波成分を除去するための光学ローパスフィルターが配されている。
【００１７】
デジタルカメラ１００の上面には、撮影を指示するためのシャッターボタン１０５、撮影に関する各種設定を行うためのモードダイヤル１０６、及びＷＢ調整用の操作釦１０７、ＩＳＯ感度調整用の操作釦１０８、露出補正用の操作釦１０９等の操作部材が配されている。また、デジタルカメラの上面には、発光量の大きい外部ストロボ装置等を取り付けることができるホットシュー１１０が設けられている。デジタルカメラの左右には、ストラップを取り付けるための金具１１１が設けられている。
【００１８】
［１−２．操作釦構成］
図２は、図１の操作釦１０７〜１０９を含む一部箇所の上面図である。図２は、ＷＢ調整用の操作釦１０７、ＩＳＯ感度調整用の操作釦１０８、露出補正用の操作釦１０９等の操作部材がデジタルカメラ１００の上面に配置されていることを示す。
【００１９】
図３Ａは、図２のＡ−Ａによる断面図であり、操作釦１０７〜１０９の偏芯を調芯するための構造を説明する図である。操作釦１０７，１０９は操作釦１０８と同じ構成となるので、図３ＡにはＩＳＯ感度調整用の操作釦１０８の断面のみを示している。
【００２０】
ＩＳＯ感度調整用の操作釦１０８は、押圧可能な操作釦１１２と、操作釦１１２の操作方向と逆方向に移動しない初期位置に保持する保持部１１４を有するカバー部材１１３と、操作釦１１２が操作方向へ押し込まれたとき、操作釦１１２を逆方向に付勢する付勢部材１１５と、を備える。
【００２１】
カバー部材１１３は、操作釦１１２の上面を突出させるための開口部を有し、デジタルカメラ１００のＡｌやＭｇ等の金属筐体で形成されるトップケースである。操作釦１１２は樹脂成形品であり、付勢部材１１５はカーボン接点１１６を底部に設けたラバー成形品（ゴム弾性体）である。
【００２２】
ユーザによって操作釦１１２が押圧されると、ＦＰＣ（Ｆｌｅｘｉｂｌｅ  Ｐｒｉｎｔｅｄ  Ｃｉｒｉｕｉｔｓ）１１８上に設けられた接点１１７と接触される。またユーザによって押圧された操作釦１１２を離すと付勢部材１１５によって操作釦１１２の操作方向と逆方向に付勢することで、操作釦１１２は保持部１１４によって操作釦１１２の初期位置に保持される。具体的には、保持部１１４は、操作釦１１２と互いに嵌合するテーパー形状を有している。これにより、操作釦１１２のテーパー状の底部がカバー部材１１３の保持部１１４のテーパー面に沿って移動し、両者のテーパー面が嵌合して操作釦１１２の移動を停止することができる。
【００２３】
操作釦１１２の突起部１１２ａと付勢部材１１５の溝部１１５ａとの間の隙間はほぼない。このことで両者の組立挿入性を向上させている。つまり、操作釦１１２の突起部１１２ａは、付勢部材１１５の溝部１１５ａに嵌合されており、両者は分離可能である。
【００２４】
また操作釦１１２のリング状の溝部１１２ｂと付勢部材１１５のリング状の突起部１１５ｂとの間には大きな隙間２００がある。この隙間２００は、操作釦１１２の押下時に適切なクリック感を出させるために必要である。
【００２５】
以上のように、本実施の形態では、操作釦１１２と付勢部材１１５を組立てるので、両者をインサート成形する場合に比べて部品生産時間の短縮、歩留まりの向上など、低コストで高い生産性を得ることができる。
【００２６】
さらに操作釦１１２の最外径部１２０は付勢部材１１５のフランジ部１１９と接触している。この接触した構成により、操作釦１１２の偏芯を調芯するための構造を実現している。
【００２７】
図４Ａは、本実施の形態の操作釦１０７〜１０９（図３Ａ）と比較するために使用する断面図であり、操作釦の偏芯を調芯するための構造を備えていない。
【００２８】
図４Ａにおいて、操作釦１１２の最外径部１２０は付勢部材１１５のフランジ部１１９と非接触状態であり、この非接触した構成では、操作釦１１２の偏芯を調芯するための構造は実現できない。
【００２９】
［１−３．操作釦偏芯の調芯動作］
図３Ｂは、操作釦の偏芯を調芯する動作図である。
【００３０】
ユーザによって操作釦１１２の押圧後に操作釦１１２を離すと、操作釦１１２が傾く場合がある。すなわち、操作釦１１２とカバー部材１１３の摩擦により付勢部材１１５が変形した状態で止まってしまう。図３Ｂに示すように操作釦１１２が右側の偏芯を起こすと、図３Ｂに示すように左側の付勢部材１１５の圧縮量が減り、右側の付勢部材１１５の圧縮量が増えるので、矢印で示す左回転の力が操作釦１１２に働く。この左回転の力が操作釦１１２の偏芯を調芯することになる。
【００３１】
一方、操作釦１１２の偏芯を調芯するための構造を備えていない操作釦１０７〜１０９では、図４Ｂに示すように操作釦１１２が右側の偏芯を起こしても、操作釦１１２の最外径部１２０は付勢部材１１５のフランジ部１１９と非接触状態であるので、操作釦１１２の偏芯を調芯する力が働かない。
【００３２】
以上のように本実施の形態では、操作釦１１２の偏芯を調芯するための構造を備えているので、操作釦１１２の偏芯の調芯を自動的に行うことができる。
【００３３】
［１−４．まとめ］
以上のように、本実施の形態において、電子機器の一例であるデジタルカメラ１００は、押圧可能な操作釦１１２と、操作釦１１２の操作方向と逆方向に移動しない初期位置に保持する保持部１１４を有するカバー部材１１３と、操作釦１１２が操作方向へ押し込まれたとき、操作釦１１２を逆方向に付勢する付勢部材１１５と、を備える。
【００３４】
操作釦１１２が初期位置から偏芯した際に、付勢部材１１５のフランジ部１１９の少なくとも一部で操作釦１１２を付勢することにより操作釦１１２の偏芯を補正する応力を発生させる。
【００３５】
これにより、本開示にかかる電子機器は、操作釦１１２を押下した後、操作釦１１２が自動的にカバー部材１１３の開口部の中央に戻ることができ、操作釦１１２の偏芯の調芯を自動的に行うのに有効である。
【００３６】
保持部１１４は、操作釦１１２と互いに嵌合するテーパー形状を有している。これにより、操作釦１１２のテーパー状の底部がカバー部材１１３の保持部１１４のテーパー面に沿って移動し、両者のテーパー面が嵌合して操作釦１１２の移動を停止することができる。
【００３７】
（他の実施の形態）
以上のように、本開示における実装の例示として、実施の形態１を説明した。しかしながら、本開示は、これに限定されず、適宜、変更、置き換え、付加、省略などを行った実施の形態にも適用可能である。
【００３８】
そこで、以下、他の実施の形態についてまとめて説明する。
【００３９】
実施の形態１では、操作釦１１２のリング状の溝部１１２ｂと付勢部材１１５のリング状の突起部１１５ｂとの間には大きな隙間２００を設けることで操作釦１１２の押圧時にクリック感を出すことにしたが、クリック感を出す必要がない場合は、隙間２００を設ける必要はない。しかし、操作釦１１２の押圧時にクリック感を出すことを重視する場合は、隙間２００は必要であるが、操作釦１１２が偏芯しやすくなる。したがって、本実施の形態の操作釦１１２の偏芯を調芯するための構造は、操作釦１１２の押圧時にクリック感を出すことを重視する場合は操作釦１１２の偏芯を調芯することに対して特に有効である。
【００４０】
実施の形態１では、可動式ミラーを備えないレンズ交換式デジタルカメラに本開示の操作釦の偏芯の調芯を自動的に行う構造を適用した場合を例示したが、可動式ミラーを備えるいわゆる一眼レフ方式のデジタルカメラであっても適用することができるし、レンズ交換式でないデジタルカメラであっても適用することができる。
【００４１】
実施の形態１では、撮像素子１０４はＣＭＯＳイメージセンサとして説明したが、これに限定されず、ＣＣＤ（Ｃｈａｒｇｅ  Ｃｏｕｐｌｅｄ  Ｄｅｖｉｃｅ）イメージセンサやＮＭＯＳ（ｎ‐Ｃｈａｎｎｅｌ  Ｍｅｔａｌ‐Ｏｘｉｄｅ  Ｓｅｍｉｃｏｎｄｕｃｔｏｒ）イメージセンサなど、他のイメージセンサを用いてもよい。
【００４２】
実施の形態１では、カバー部材１１３の材質は金属部材としたが、これに限定されず樹脂部材などであってもよい。操作釦１１２の材質は樹脂部材としたが、これに限定されず金属部材などであってもよい。さらに付勢部材１１５の材質はラバー（ゴム弾性体）としたが、これに限定されずポリウレタン弾性体などであってもよい。
【産業上の利用可能性】
【００４３】
本開示は、操作釦の偏芯の調芯を自動的に行う構造を有する電子機器を提供することができるので、デジタルカメラ等の撮像装置に適用することができる。具体的には、デジタルカメラ、ムービー、カメラ機能付き携帯電話機、スマートフォン、リモコン、電卓などの電子機器に、本開示は適用可能である。
【符号の説明】
【００４４】
１００  デジタルカメラ
１０１  マウント
１０２  複数の電気接点
１０３  レンズ取外しボタン
１０４  撮像素子
１０５  シャッターボタン
１０６  モードダイヤル
１０７  ＷＢ調整用の操作釦
１０８  ＩＳＯ感度調整用の操作釦
１０９  露出補正用の操作釦
１１０  ホットシュー
１１１  金具
１１２  操作釦
１１２ａ  突起部
１１２ｂ  リング状の溝部
１１３  カバー部材
１１４  保持部
１１５  付勢部材
１１５ａ  溝部
１１５ｂ  リング状の突起部
１１６  カーボン接点
１１７  接点
１１８  ＦＰＣ
１１９  フランジ部
１２０  最外径部
２００  隙間
【図１】
2019079696.tif 000003
【図２】
2019079696.tif 000004
【図３Ａ】
2019079696.tif 000005
【図３Ｂ】
2019079696.tif 000006
【図４Ａ】
2019079696.tif 000007
【図４Ｂ】
2019079696.tif 000008